【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝は、上記打撃フェースの上記中央領域に限定され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
複数の弧状溝が上記トウ領域に限定され、
上記溝、上記細密溝、および上記弧状溝が相互に交差しないことを特徴とするゴルフクラブヘッド。
【請求項２】
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
上記打撃フェースは複数の溝なし領域を有し、上記溝なし領域は上記複数の溝の対をなす溝の間に位置づけられ、上記溝なし領域の各々は少なくとも３本の細密溝を有し、
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、細密溝ピッチは、上記溝なし領域の各々における上記細密溝の各々の対応する点の間の距離であり、上記複数の溝の各々の上記上側オフセット幅、上記下側オフセット幅、上記溝幅、および上記細密溝幅は、ミリメートルで測定されたときに、以下の関係を満たすことを特徴とするゴルフクラブヘッド。
【数６】
2017060754.tif 000001
【請求項３】
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、上記複数の溝の各々の上記上側オフセット幅および上記下側オフセット幅は各々０．３５２ｍｍ以上であり、
上記打撃フェースは複数の溝なし領域を有し、上記溝なし領域は上記複数の溝の対をなす溝の間に位置づけられ、上記溝なし領域の各々は少なくとも３本の細密溝を有することを特徴とするゴルフクラブヘッド。
【手続補正２】
【補正対象書類名】明細書
【補正対象項目名】００５３
【補正方法】変更
【補正の内容】
【００５３】
以上は、この発明の例示の実施例に関するものであり、以下の特許請求の範囲で示される発明の範囲および程度を逸脱することなく修正を行えることはもちろんであることに留意されたい。
以下、ここで説明した技術的特徴を列挙する。
［技術的特徴１］
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝は、上記打撃フェースの上記中央領域に限定され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
複数の弧状溝が上記トウ領域に限定され、
上記溝、上記細密溝、および上記弧状溝が相互に交差しないことを特徴とするゴルフクラブヘッド。
［技術的特徴２］
上記打撃フェースは複数の溝なし領域を有し、上記溝なし領域は上記複数の溝の対をなす溝の間に位置づけられ、上記溝なし領域の各々は少なくとも３本の細密溝を有する技術的特徴１記載のゴルフクラブヘッド。
［技術的特徴３］
上記溝なし領域の各々は少なくとも４本の細密溝を有し、かつ８本より少ない細密溝を有する技術的特徴２記載のゴルフクラブヘッド。
［技術的特徴４］
上記溝なし領域の各々は５本の細密溝を有する技術的特徴３記載のゴルフクラブヘッド。
［技術的特徴５］
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、上記複数の溝の各々の上記上側オフセット幅および上記下側オフセット幅は各々０．３５２ｍｍ以上である技術的特徴１記載のゴルフクラブヘッド。
［技術的特徴６］
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、細密溝ピッチは、上記溝なし領域の各々における上記細密溝の各々の対応する点の間の距離であり、上記複数の溝の各々の上記上側オフセット幅、上記下側オフセット幅、上記溝幅、および上記細密溝幅は、ミリメートルで測定されたときに、以下の関係を満たす技術的特徴２記載のゴルフクラブヘッド。
【数７】
2017060754.tif 000002
［技術的特徴７］
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
上記打撃フェースは複数の溝なし領域を有し、上記溝なし領域は上記複数の溝の対をなす溝の間に位置づけられ、上記溝なし領域の各々は少なくとも３本の細密溝を有し、
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、細密溝ピッチは、上記溝なし領域の各々における上記細密溝の各々の対応する点の間の距離であり、上記複数の溝の各々の上記上側オフセット幅、上記下側オフセット幅、上記溝幅、および上記細密溝幅は、ミリメートルで測定されたときに、以下の関係を満たすことを特徴とするゴルフクラブヘッド。
【数８】
2017060754.tif 000003
［技術的特徴８］
上記溝なし領域の各々は少なくとも４本の細密溝を有し、かつ８本より少ない細密溝を有する技術的特徴７記載のゴルフクラブヘッド。
［技術的特徴９］
上記複数の溝の各々の上記上側オフセット幅および上記下側オフセット幅は各々０．３５２ｍｍ以上である技術的特徴７記載のゴルフクラブヘッド。
［技術的特徴１０］
上記複数の溝の各々の上記上側オフセット幅および上記下側オフセット幅は各々０．４０２ｍｍ以上である技術的特徴７記載のゴルフクラブヘッド。
［技術的特徴１１］
上記溝および上記細密溝が相互に交差しない技術的特徴７記載のゴルフクラブヘッド。
［技術的特徴１２］
上記複数の細密溝は上記打撃フェースの上記中央領域に限定される技術的特徴１１記載のゴルフクラブヘッド。
［技術的特徴１３］
上記トウ領域に限定される複数の弧状の溝をさらに有し、上記溝、上記細密溝、および上記弧状溝が相互に交差しない技術的特徴１２記載のゴルフクラブヘッド。
［技術的特徴１４］
本体を有し、
上記本体が、
上記本体の前方部分の側の打撃フェースであって、ゴルフボールを打撃するように構成された上記打撃フェースと、
上記本体の底部分の側のソールと、
上記本体の頂部部分の側のトップラインと、
シャフトを収容するように構成されたホーゼルであって、上記本体のヒール側面の側に位置決めされ、上記ヒール側面は上記本体のトウ側面と反対側にある、上記ホーゼルとを有し、
上記打撃フェースは当該打撃フェース内に形成された複数の溝を有し、当該複数の溝の各々は上記打撃フェースに渡って水平方向に延び、当該複数の溝の各々は、０．５００ｍｍ以上の溝幅を有し、
上記打撃フェースは前面表面を有し、各溝の上記溝幅は、各溝と上記前面表面との最も上の交点と、各溝と上記前面表面との最も下の交点との間の距離であり、
上記打撃フェースは中央領域、トウ領域、およびヒール領域を有し、上記中央領域は上記溝の最もトウ側の部分から上記溝の最もヒール側の部分まで伸び、上記ヒール領域は、上記中央領域のヒール側部がわにあり、上記トウ領域は上記中央領域のトウ側部がわにあり、
複数の細密溝が上記打撃フェースに形成され、上記複数の細密溝の各々は上記打撃フェースに渡って上記溝と平行に伸び、上記複数の細密溝の各々は０．５００ｍｍ未満の細密溝幅を有し、上記細密溝幅は、各細密溝と上記前面表面との最も上の交点と、各細密溝と上記前面表面との最も下の交点との間の距離であり、
下側オフセット幅は、上記複数の溝の各々と上記前面表面との最も下側の交点と、上記複数の細密溝と上記前面表面との最も近い交点との間の距離であり、上側オフセット幅は、上記複数の溝の各々と上記前面表面との最も上側の交点と、上記複数の細密溝と上記前面表面との最も近い交点との間の距離であり、上記複数の溝の各々の上記上側オフセット幅および上記下側オフセット幅は各々０．３５２ｍｍ以上であり、
上記打撃フェースは複数の溝なし領域を有し、上記溝なし領域は上記複数の溝の対をなす溝の間に位置づけられ、上記溝なし領域の各々は少なくとも３本の細密溝を有することを特徴とするゴルフクラブヘッド。
［技術的特徴１５］
上記複数の溝の各々の上記上側オフセット幅および上記下側オフセット幅は各々０．４０２ｍｍ以上である技術的特徴１４記載のゴルフクラブヘッド。
［技術的特徴１６］
上記溝および上記細密溝が相互に交差しない技術的特徴１４記載のゴルフクラブヘッド。
［技術的特徴１７］
上記溝なし領域の各々は少なくとも４本の細密溝を有し、かつ８本より少ない細密溝を有する技術的特徴１６記載のゴルフクラブヘッド。
［技術的特徴１８］
上記溝なし領域の各々は５本の細密溝を有する技術的特徴１７記載のゴルフクラブヘッド。
［技術的特徴１９］
上記複数の細密溝は上記打撃フェースの上記中央領域に限定される技術的特徴１４記載のゴルフクラブヘッド。
［技術的特徴２０］
上記トウ領域に限定される複数の弧状の溝をさらに有し、上記溝、上記細密溝、および上記弧状溝が相互に交差しない技術的特徴１４記載のゴルフクラブヘッド。